(57)【要約】【課題】防犯性に優れた集合住宅のエントランス構造を提供することである。【解決手段】住戸の玄関先に設けられた玄関ポーチ４の入口部に門扉６を設け、その門扉６の一側方に設けられた門柱５ｂにインターホン１２および新聞受け１３を設けて共用廊下２から来訪者が対応できるようにし、施錠状態に保持することができる門扉６によって玄関ポーチ４への人の侵入を防止する。【選択図】図２
2006307469.tif 000002
【特許請求の範囲】
【請求項１】
住戸の玄関先に玄関ポーチを設け、その玄関ポーチと共用廊下の境界部に開閉可能な門扉を設けた集合住宅のエントランス構造において、前記門扉の側方に設けられた門柱に新聞受けとインターホンとを設けたことを特徴とする集合住宅のエントランス構造。
【請求項２】
前記門扉を、玄関ポーチの床面および天井面との間に人の侵入を阻止し得る大きさの空間が形成されるような高さとし、かつ門扉を扉錠によって施解錠を可能とした請求項１に記載の集合住宅のエントランス構造。
【請求項３】
前記門扉が伸縮式の門扉から成る請求項１又は２に記載の集合住宅のエントランス構造。
【請求項４】
前記門柱に収縮状態の伸縮式門扉を収容可能とする収容空間を設けた請求項３に記載の集合住宅のエントランス構造。
【発明の詳細な説明】
【技術分野】
【０００１】
この発明は、住戸の玄関先に玄関ポーチが設けられた集合住宅のエントランス構造に関するものである。
【背景技術】
【０００２】
集合住宅においては、普通、共用廊下に面して玄関を設けているが、玄関ドアを開放すると共用廊下から室内が見え、プライバシーが侵害されるおそれがある。
【０００３】
プライバシーの保護のため、および一戸建風の感覚を持たせるため、共用廊下から玄関を入り込ませて玄関先に玄関ポーチを設け、その玄関ポーチと共用廊下の境界位置に門扉を設けた集合住宅が建築されるようになってきている。
【０００４】
上記のような玄関ポーチを有する集合住宅においては、玄関ドアの一側の壁面に訪問者対応用のインターホンや新聞受け、室名札、室番札を取付けるようにしている。
【発明の開示】
【発明が解決しようとする課題】
【０００５】
ところで、玄関ポーチおよび門扉を有する上記従来の集合住宅においては、インターホンおよび新聞受けが玄関ドアの周りに設けられているため、門扉は自由に開閉できるようにしている。このため、玄関ポーチに不審者が侵入してドア錠をピッキングする等の悪質な行動がとられたとしても共用廊下から見えず、防犯性が悪いという問題がある。
【０００６】
この発明の課題は、玄関ポーチおよび門扉を有する集合住宅の防犯性を高めることである。
【課題を解決するための手段】
【０００７】
上記の課題を解決するために、この発明においては、住戸の玄関先に玄関ポーチを設け、その玄関ポーチと共用廊下の境界部に開閉可能な門扉を設けた集合住宅のエントランス構造において、前記門扉の側方に設けられた門柱に新聞受けとインターホンとを設けた構成を採用している。
【０００８】
ここで、門扉を玄関ポーチの床面および天井面との間に人の侵入を阻止することができる大きさの空間が形成されるような高さとし、かつ門扉を扉錠によって施解錠を可能とすることによって、施錠状態とされた門扉により玄関ポーチへの不審者の侵入を防止することができるため、防犯性をさらに高めることができる。
【０００９】
また、門扉はヒンジにより支持された回転式のものであってもよく、あるいは伸縮式のものであってもよい。伸縮式門扉の採用において、門柱に収縮した門扉を収容可能とする収容空間を設けておくと、門扉を収縮する開放状態において、玄関ポーチの入口の間口を大きくとることができ、門扉が出入りの邪魔にならず、スムーズな出入りを可能とすることができる。
【発明の効果】
【００１０】
上記のように、門扉の側方に設けられた門柱に新聞受けとインターホンとを設けることによって、玄関ポーチの入口部において来訪者は住人と対応することができるため、門扉に扉錠を取付け、その扉錠の施錠によって門扉を閉鎖状態にしておくことができる。このため、閉鎖状態の門扉によって玄関ポーチへの不審者の侵入を防止することができ、防犯性を高めることができる。
【発明を実施するための最良の形態】
【００１１】
以下、この発明の実施の形態を図面に基づいて説明する。図１および図２に示すように、住戸の玄関１は共用廊下２から入り込んだ位置に設けられ、その玄関１の出入口を開閉する玄関ドア３と共用廊下２との間に玄関ポーチ４が設けられている。
【００１２】
玄関ポーチ４と共用廊下２の境界位置（玄関ポーチ４の入口部）には左右一対の門柱５ａ、５ｂが設けられ、その門柱５ａ、５ｂ間に門扉６が設けられている。
【００１３】
門扉６は一方の門柱５ａに取付けられたヒンジ７により一側の上下部が支持され、上記ヒンジ７を中心にして回動自在とされている。また、門扉６は戸先側に設けたレバー８の操作により開閉され、上記戸先側に設けられた扉錠９によって施解錠されるようになっている。
【００１４】
他方の門柱５ｂには、上部から照明灯１０、室名札１１、インターホン１２および新聞受け１３が設けられている。
【００１５】
上記のように、門柱５ｂにインターホン１２を設けることによって訪問者は玄関ポーチ４に入ることなく共用廊下２から住戸の住人と対応することができると共に、新聞配達人は、共用廊下２から新聞受け１３に新聞を入れることができる。
【００１６】
このため、門扉６の扉錠９は常に施錠状態としておくことができ、上記門扉６によって玄関ポーチ４への不審者の侵入を防止し、防犯性を高めることができる。
【００１７】
図１に示す実施形態では、門扉６として片開き回転式のものを示したが、門扉６はこれに限定されない。
【００１８】
図３乃至図７は、門扉６の他の例を示している。図３では、親扉６ａと子扉６ｂのそれぞれを門柱５ａ、５ｂのそれぞれに取付けられたヒンジ７により回動自在に支持し、親扉６ａと子扉６ｂの戸先側にレバー８と扉錠９とを設けた両開き回転式のものが示されている。
【００１９】
図４では、親扉６ａと子扉６ｂとがその閉鎖状態で玄関ポーチ４の床面Ａおよび天井面Ｂとの間に人の侵入が不可能な大きさの空間が形成される高さとされた両開き回転式の門扉６が示されている。
【００２０】
ここで、親扉６ａと子扉６ｂとは、図３に示される場合と同様に、レバー８により開閉され、扉錠９によって施解錠されるようになっている。
【００２１】
図４に示すように、親扉６ａと子扉６ｂの高さを高くして玄関ポーチ４の床面Ａおよび天井面Ｂ間に形成される空間の大きさを人の侵入を阻止することができるような大きさとすることによって、不審者の侵入をより確実に阻止することができる。
【００２２】
図５では、左右に開閉することができる伸縮式の門扉６が示されている。このような門扉６を採用する場合は、玄関ポーチ４の床面Ａに門扉６の操作側縦棧６ｃを受け止める支柱１４を立設し、その支柱１４に上記縦棧６ｃに設けられた扉錠９の受け金具を取付ける。
【００２３】
上記のような伸縮式の門扉６の採用において、図６に示すように、インターホン１２等の玄関備品が取付けられた門柱５ｂに収縮状態の門扉６を収容可能とする収容空間１５を設けておくと、門扉６の開放状態で玄関ポーチ４の入口部の間取りを大きくとることができ、玄関ポーチ４に対する出入りに門扉６が邪魔にならず、出入りの容易化を図ることができる。
【００２４】
図７では、図６に示す場合と同様に伸縮式の門扉６が示され、その門扉６の高さを高くして、玄関ポーチ４の床面Ａおよび天井面Ｂとの間に人の侵入を阻止することができるような大きさの空間が形成されるようにしている。この場合も、図４に示す場合と同様に不信者の侵入を確実に防止することができる。
【図面の簡単な説明】
【００２５】
【図１】この発明に係る集合住宅のエントランス構造の実施形態を示す正面図
【図２】図１の横断平面図
【図３】門扉の他の例を示す正面図
【図４】門扉の他の例を示す正面図
【図５】門扉の他の例を示す正面図
【図６】図５の横断平面図
【図７】門扉のさらに他の例を示す正面図
【符号の説明】
【００２６】
１    玄関
２    共用廊下
４    玄関ポーチ
５ａ  門柱
５ｂ  門柱
６    門扉
９    扉錠
１２  インターホン
１３  新聞受け
Ａ    床面
Ｂ    天井面
１５  収容空間
【図１】
2006307469.tif 000003
【図２】
2006307469.tif 000004
【図３】
2006307469.tif 000005
【図４】
2006307469.tif 000006
【図５】
2006307469.tif 000007
【図６】
2006307469.tif 000008
【図７】
2006307469.tif 000009